(57)【特許請求の範囲】
【請求項１】
地上網または端末からインターフェイスを介して入力される入力信号を、ＩＦ信号と所定の変調度を有し基準信号が存在する間は零にならない基準信号パルス変調波との合成波で構成し、ＩＦ信号を周波数変換してＲＦ信号を出力する無線通信装置であって、前記ＩＦ信号と前記基準信号パルス変調波を分離する手段と、分離されたＩＦ信号を周波数変換した後、電力増幅器を経由してＲＦ信号を送出する手段と、分離された基準信号パルス変調波をさらに分割する手段と、分割された一方の基準信号パルス変調波から局部発信器の周波数基準となる信号を再生し、該分割された一方の基準信号パルス変調波とからロックモニター信号を生成する手段と、分割された他方の基準信号パルス変調波から基準信号検波出力を生成する手段と、前記ロックモニター信号と前記基準信号検波出力が共にＯＮ状態のとき前記基準信号パルス変調波のＯＮ信号に同期してアンプドライバー出力を生成する手段と、該アンプドライバー出力によって前記電力増幅器の給電系を制御する手段とを備えていることを特徴とする無線通信装置。
【請求項２】
ＩＦ信号と所定の変調度を有し基準信号が存在する間は零にならない基準信号パルス変調波との合成波を送出する送信手段を備え、地上網または端末からインターフェイスを介して前記合成波が入力され、入力されたＩＦ信号を周波数変換してＲＦ信号を出力する無線通信装置であって、前記ＩＦ信号と前記基準信号パルス変調波を分離する手段と、分離されたＩＦ信号を周波数変換した後、電力増幅器を経由してＲＦ信号を送出する手段と、分離された基準信号パルス変調波をさらに分割する手段と、分割された一方の基準信号パルス変調波から局部発信器の周波数基準となる信号を再生し、該分割された一方の基準信号パルス変調波とからロックモニター信号を生成する手段と、分割された他方の基準信号パルス変調波から基準信号検波出力を生成する手段と、前記ロックモニター信号と前記基準信号検波出力が共にＯＮ状態のとき前記基準信号パルス変調波のＯＮ信号に同期してアンプドライバー出力を生成する手段と、該アンプドライバー出力によって前記電力増幅器の給電系を制御する手段とを備えていることを特徴とする無線通信装置。
【発明の詳細な説明】
【０００１】
【発明の属する技術分野】
本発明は信号入力の有無により送信系増幅器の電源を制御する省電力型無線通信装置に関する。
【０００２】
【従来の技術】
従来の送信装置は、入力信号の有無にかかわらず送信系の増幅器の電源が立ち上がっており、一定の電力を消費していた。特別な場合として、局発系にＰＬＬの同期はずれ等の異常があった場合にミュートがかかりこれらの電源が立ち下がるというものがあった。また、この機能を応用して、入力信号がある場合のみ電源がＯＮ状態になる例として図4及び図５に示したようなものが知られている。図４は送信機の回路構成をブロックで示したもので、図５は図４における各部の波形図である。信号の流れは、まずＩＦ／基準信号入力からＩＦ信号と基準信号パルス変調波との合成波が入力され、マルチプレクサ１でそれぞれの信号に分離される。分離されたＩＦ信号はＩＦ増幅器７、ミキサ９、バンドパスフィルター１０、およびＲＦ増幅器１１を経て、ＲＦ出力として出力される。
【０００３】
一方、マルチプレクサ１で分離された入力基準信号パルス変調波は、図５に示すように基準信号がパルスで変調された波形で、基準信号リカバリー回路３を経て局部発信器８の周波数基準信号となる。基準信号リカバリー回路３と局部発信器８の回路はＰＬＬで構成されており、基準信号パルス変調波がＯＦＦのとき局部発信器８は同期外れの状態となりロックモニタ回路５の出力はアンロックされる。この状態で、アンプドライバー６の出力は０ＶとなりＲＦ増幅器への電源供給は停止され、ＲＦ出力もＯＦＦとなる（図５）。
【０００４】
【発明が解決しようとする課題】
上記のように、常時、送信系増幅器の電源がＯＮになっている場合には入力信号の待機時消費電力が大きくなり、特にソーラーバッテリー駆動のシステムでは、バッテリ能力が不足するかあるいは大容量バッテリーが必要になるという問題が発生していた。また、入力基準信号にパルス変調をかけ入力基準信号ＯＦＦ時にＰＬＬ同期はずれを発生させる方法は、再度ロックさせるための時間が必要になり電源の立ち上がり時間が長くなるという問題点があった。
本発明は入力基準信号のパルス変調波がＯＦＦ時に増幅器の電源をＯＦＦとし、逆に基準信号のパルス変調波がＯＮになったときのみ、電源を急速に立ち上げＯＮ状態にすることによって省電力化を図ることを目的とする。
【０００５】
【課題を解決するための手段】
上記目的を達成するため、本願請求項１に係る発明は、地上網または端末からインターフェイスを介して入力される入力信号を、ＩＦ信号と所定の変調度を有し基準信号が存在する間は零にならない基準信号パルス変調波との合成波で構成し、ＩＦ信号を周波数変換してＲＦ信号を出力する無線通信装置であって、前記ＩＦ信号と前記基準信号パルス変調波を分離する手段と、分離されたＩＦ信号を周波数変換した後、電力増幅器を経由してＲＦ信号を送出する手段と、分離された基準信号パルス変調波をさらに分割する手段と、分割された一方の基準信号パルス変調波から局部発信器の周波数基準となる信号を再生し、該分割された一方の基準信号パルス変調波とからロックモニター信号を生成する手段と、分割された他方の基準信号パルス変調波から基準信号検波出力を生成する手段と、前記ロックモニター信号と前記基準信号検波出力が共にＯＮ状態のとき前記基準信号パルス変調波のＯＮ信号に同期してアンプドライバー出力を生成する手段と、該アンプドライバー出力によって前記電力増幅器の給電系を制御する手段とを備えていることを特徴とする。
【０００６】
また請求項２に係る発明は、ＩＦ信号と所定の変調度を有し基準信号が存在する間は零にならない基準信号パルス変調波との合成波を送出する送信手段を備え、地上網または端末からインターフェイスを介して前記合成波が入力され、入力されたＩＦ信号を周波数変換してＲＦ信号を出力する無線通信装置であって、前記ＩＦ信号と前記基準信号パルス変調波を分離する手段と、分離されたＩＦ信号を周波数変換した後、電力増幅器を経由してＲＦ信号を送出する手段と、分離された基準信号パルス変調波をさらに分割する手段と、分割された一方の基準信号パルス変調波から局部発信器の周波数基準となる信号を再生し、該分割された一方の基準信号パルス変調波とからロックモニター信号を生成する手段と、分割された他方の基準信号パルス変調波から基準信号検波出力を生成する手段と、前記ロックモニター信号と前記基準信号検波出力が共にＯＮ状態のとき前記基準信号パルス変調波のＯＮ信号に同期してアンプドライバー出力を生成する手段と、該アンプドライバー出力によって前記電力増幅器の給電系を制御する手段とを備えていることを特徴とする。
【０００７】
【発明の実施の形態】
以下、図面に基づいて本発明に係る無線通信装置の実施例を説明する。図１は無線通信装置でも屋外で使用されることの多いマイクロ波通信装置に本発明を実施した場合の基本的な構成をブロック図で示したもので、図２は図１における各部波形図である。図３は外部の情報源である地上網や各種端末と無線通信装置間を接続するインターフェイスのブロック図である。
【０００８】
ＩＦ／基準信号入力からＩＦ信号と基準信号パルス変調波の合成波が入力されマルチプレクサ１でそれぞれの信号が分離される。分離されたＩＦ信号は、従来例で説明したように、ＩＦ増幅器７を経てミキサ９によりアップコンバートされ、バンドパスフィルター１０、およびＲＦ増幅器１１を介してＲＦ信号が出力される。分離された基準信号パルス変調波は、次段のパワーデバイダ２によって、さらに二つの信号に分割される。その一つは従来通り基準信号リカバリー回路３を経て、局部発信器８の周波数基準信号となり、他の一つは基準信号検波器４に出力される。
【０００９】
本発明の基準信号パルス変調波は、従来例とは異なり、図２に示すように、所定の変調度で振幅変調された波形をしており、基準信号が存在する間、零になることはない。
【００１０】
基準信号リカバリー回路３と局部発信器８はＰＬＬを用いており、それに続くロックモニタ回路５から図２に示すようなロックモニター信号が得られる。この信号は基準信号パルス変調波のOn/Off時にはロック状態を、基準信号パルス変調波が存在しないときはアンロック状態となる。
【００１１】
また、基準信号検波器４からは、入力信号である基準信号パルス変調波を検波した後、コンパレータでレベル比較を行ない、ＯＦＦ信号を排除して図２に示すような基準信号パルス変調波に同期した基準信号検波出力を得ている。
【００１２】
次に、ロックモニター信号と基準信号検波出力の二つの信号がアンプドライバーに入力され、ロックモニター信号がロック状態でかつ基準信号検波出力がHighのときのみアンプドライバー出力がＯＮになり、それ以外はアンプドライバー出力がＯＦＦになるようにＲＦ増幅器の給電系を制御し、ＲＦ信号をすばやく立ち上げ出力している。
【００１３】
以上は主に屋外に設置される省電力無線通信装置についての説明であるが、所定の変調度を有する基準信号パルス変調波を発生させ、ＩＦ信号と合成させるのは、例えば室内側に設置された外部情報源とのインターフェイスであって、無線通信装置の一部を形成する。
【００１４】
図３はインターフェイスのブロック構成図である。外部情報源からのデータをデータ変換器２６で変換した後、モデム２３によって変調されたＩＦ信号と、タイミングジェネレータ２５の信号を用いて、基準信号発生器２１からの出力を基準信号変調器２２でパルス変調し、基準信号パルス変調波を出力する。他方、モデム２３を介して出力されるＩＦ信号と、基準信号パルス変調波をマルチプレクサ２４で合波し、ＩＦ／基準信号出力としてケーブルを介して無線通信装置に接続される。
【００１５】
このＩＦ／基準信号出力は、前述のＩＦ／基準信号入力としてマルチプレクサ１に入力され、前述の説明と同様に、ＲＦ増幅器の給電系を制御する信号を生成することができる。
【００１６】
【発明の効果】
以上説明したように、本発明の無線通信装置では基準信号パルス変調波の検波出力を用いて、なおかつ基準信号がパルス変調ＯＦＦ時においても局部発信器のＰＬＬ同期がはずれず、短い応答時間で送信系の増幅器の電源を制御することが可能で、送信機の消費電力を抑えることができるという効果がある。
【図面の簡単な説明】
【図１】本発明の実施の形態である無線通信装置の構成を示すブロック図である。
【図２】図１のブロック図の各部波形図である。
【図３】本発明の実施の形態である無線通信装置のインターフェイスの構成を示すブロック図である。
【図４】従来例を示すブロック図である。
【図５】図４のブロック図の各部波形図である。
【符号の説明】
１：マルチプレクサ、２：パワーデバイダ、３：基準信号リカバリー回路、４：基準信号検波器、５：ロックモニター回路、６：アンプドライバー、７：ＩＦ増幅器、８：局部発信器、９：ミキサー、１０：バンドパスフィルタ、１１：ＲＦ増幅器、２１：基準信号発生器、２２：基準信号変調器、２３：モデム、２４：マルチプレクサ、
【図１】
0003936594.tif 000002
【図２】
0003936594.tif 000003
【図３】
0003936594.tif 000004
【図４】
0003936594.tif 000005
【図５】
0003936594.tif 000006